(57)【要約】【課題】太陽光発電パネルなどの被保持物を、単管パイプの端部の先側に、より確実且つ簡便に固定できる支承金具付クランプを提供する。【解決手段】単管パイプ１０の端部に締め付けられて装着され、単管パイプの端面の先側で被保持物を受け止めて保持する支承金具３０を備え、単管パイプ１０に締め付けられるクランプ本体部２１と、クランプ本体部２１に回動可能に軸着されて単管パイプ１０に締め付けられる回動クランプ部２２と、締付手段２３とを具備すると共に、支承金具３０が、クランプ本体部２１に固定された状態に設けられて軸受部３２を備えるベース金具部３１と、ベース金具部３１の軸受部３２に軸受された軸部３５を介してベース金具部３１に対して傾動可能に軸着され、被保持物を受け止めて保持する第１受面３３ａと該第１受面３３ａに直交する第２受面３３ｂとを備える受け金具部３３とを具備する。【選択図】図１
2017211052.tif 000002
【特許請求の範囲】
【請求項１】
単管パイプの端部に締め付けられて装着され、該単管パイプの端面の先側で被保持物を受け止めて保持する支承金具を備える支承金具付クランプであって、
前記単管パイプに締め付けられるクランプ本体部と、該クランプ本体部に回動可能に軸着されて前記単管パイプに締め付けられる回動クランプ部と、締付手段とを具備すると共に、
前記支承金具が、前記クランプ本体部に固定された状態に設けられて軸受部を備えるベース金具部と、
該ベース金具部の前記軸受部に軸受された軸部を介して該ベース金具部に対して傾動可能に軸着され、前記被保持物を受け止めて保持する第１受面と該第１受面に直交する第２受面とを備える受け金具部とを具備することを特徴とする支承金具付クランプ。
【請求項２】
前記ベース金具部の先端部が、前記単管パイプに装着された際に該単管パイプの長手方向へ延出されるように、前記クランプ本体部から片持ちに突き出て固定された状態に設けられ、該ベース金具部の先端部の両脇で前記単管パイプの仮想延長部の内側へ折り曲げられてコの字状に形成された両方の立上げ板部のそれぞれに、前記軸受部を構成する軸受孔が設けられ、前記軸部が、長ピン状軸を前記軸受孔の両方に通して軸着することで構成されていることを特徴とする請求項１記載の支承金具付クランプ。
【請求項３】
前記受け金具部が、前記長ピン状軸の中心軸に平行な前記第１受面と、該第１受面と直交すると共に前記長ピン状軸の中心軸に平行な前記第２受面と、該長ピン状軸に軸着される軸着部であって前記長ピン状軸の中心軸に直交する面に設けられた軸着孔とを備えていることを特徴とする請求項２記載の支承金具付クランプ。
【請求項４】
前記第２受面と前記軸着部を構成する面とが、金属板材を前記第１受面の側へ立ち上げるように折り曲げることで設けられていることを特徴とする請求項３記載の支承金具付クランプ。
【請求項５】
前記第１受面は、前記長ピン状軸よりも両側に長く形成され、前記第２受面は、前記第１受面の両側部に相当する位置であって、傾動した際にも前記軸受部や前記長ピン状軸に干渉しないように、二分割した状態に設けられていることを特徴とする請求項３又は４記載の支承金具付クランプ。
【発明の詳細な説明】
【技術分野】
【０００１】
この発明は、単管パイプの端部に締め付けられて装着され、該単管パイプの端面の先側で被保持物を受け止めて保持する支承金具を備える支承金具付クランプに関する。
【背景技術】
【０００２】
従来、単管クランプとしては、単管パイプに締め付けられるクランプ本体部と、そのクランプ本体部に回動可能に軸着されて単管パイプに締め付けられる回動クランプ部と、締付手段とを備える単クランプであって、そのクランプ本体部にボルトが装着されたもので、そのボルトを、太陽光発電パネルなどを構成する矩形フレーム本体の枠部材の張出板部に設けられた貫通孔に通し、ナットで締め付け、矩形フレーム本体を単管パイプに固定するものが知られている。
【０００３】
また、この種の単管クランプとしては、例えば、下側支承体の基端に上側締付体の基端を枢着して単管パイプを抱持するクランプ金具本体を構成し、上側締付体の上部に太陽光発電パネル載置用の平坦載置部を設け、平坦載置部に太陽光発電パネルを取付する取付ボルトを設け、クランプ金具本体に単管パイプを締付抱持する締付抱持機構を設け、この締付抱持機構の締付操作部をクランプ金具本体の下方に配設し、上側締付体の内縁に、単管パイプの上側外周面に点接触する点接部を複数設け、下側支承体の基端と上側締付体の基端とは、開閉回動自在にして着脱自在に枢着した構成とする太陽光発電パネル取付用クランプ金具（特許文献１参照）が、提案されている。これによれば、単管パイプを組んで構築した架台に、太陽光発電パネルを容易に且つ確固に取付けできる。
【０００４】
これに対して、前述の単クランプのクランプ本体部に断面Ｌ字状の金具が固定されて構成される垂木止めクランプ（支承金具付クランプ）を利用し、太陽光発電パネルなどを構成する枠部材で形成された矩形フレーム本体などの被保持物を二面で受けて保持し、矩形フレーム本体を単管パイプに固定する方法が知られている。この垂木止めクランプでは、太陽光発電パネルなどのパネル状の被保持物を、単管パイプの中心軸と平行に保持した状態に固定する場合には有効に利用できるが、単管パイプの中心軸に傾斜して保持する状態に固定する場合には、断面Ｌ字状の金具の内面の二面が、対応する被保持物の二面に面接触して適切に受けることができず、安定的に保持できない。
【先行技術文献】
【特許文献】
【０００５】
【特許文献１】特開２０１６−３４２１０号公報（第１頁）
【発明の概要】
【発明が解決しようとする課題】
【０００６】
支承金具付クランプに関して解決しようとする問題点は、従来の単管パイプに固定されるクランプでは、太陽光発電パネルなどを構成する枠部材で形成された矩形フレーム本体などの被保持物を、二面で受けて確実に保持することが、取り付けの仕様によって、多くの場合は難しいことにある。
そこで本発明の目的は、太陽光発電パネルなどの被保持物を、単管パイプの端部の先側に、より確実且つ簡便に保持できる支承金具付クランプを提供することにある。
【課題を解決するための手段】
【０００７】
上記の課題を解決するため、本発明は、次の構成を備える。
本発明に係る支承金具付クランプの一形態によれば、単管パイプの端部に締め付けられて装着され、該単管パイプの端面の先側で被保持物を受け止めて保持する支承金具を備える支承金具付クランプであって、前記単管パイプに締め付けられるクランプ本体部と、該クランプ本体部に回動可能に軸着されて前記単管パイプに締め付けられる回動クランプ部と、締付手段とを具備すると共に、前記支承金具が、前記クランプ本体部に固定された状態に設けられて軸受部を備えるベース金具部と、該ベース金具部の前記軸受部に軸受された軸部を介して該ベース金具部に対して傾動可能に軸着され、前記被保持物を受け止めて保持する第１受面と該第１受面に直交する第２受面とを備える受け金具部とを具備する。
【０００８】
また、本発明に係る支承金具付クランプの一形態によれば、前記ベース金具部の先端部が、前記単管パイプに装着された際に該単管パイプの長手方向へ延出されるように、前記クランプ本体部から片持ちに突き出て固定された状態に設けられ、該ベース金具部の先端部の両脇で前記単管パイプの仮想延長部の内側へ折り曲げられてコの字状に形成された両方の立上げ板部のそれぞれに、前記軸受部を構成する軸受孔が設けられ、前記軸部が、長ピン状軸を前記軸受孔の両方に通して軸着することで構成されていることを特徴とすることができる。
【０００９】
また、本発明に係る支承金具付クランプの一形態によれば、前記受け金具部が、前記長ピン状軸の中心軸に平行な前記第１受面と、該第１受面と直交すると共に前記長ピン状軸の中心軸に平行な前記第２受面と、前記長ピン状軸に軸着される軸着部であって該長ピン状軸の中心軸に直交する面に設けられた軸着孔とを備えていることを特徴とすることができる。
【００１０】
また、本発明に係る支承金具付クランプの一形態によれば、前記第２受面と前記軸着部を構成する面とが、金属板材を前記第１受面の側へ立ち上げるように折り曲げることで設けられていることを特徴とすることができる。
【００１１】
また、本発明に係る支承金具付クランプの一形態によれば、前記第１受面は、前記長ピン状軸よりも両側に長く形成され、前記第２受面は、前記第１受面の両側部に相当する位置であって、傾動した際にも前記軸受部や前記長ピン状軸に干渉しないように、二分割した状態に設けられていることを特徴とすることができる。
【発明の効果】
【００１２】
本発明に係る支承金具付クランプによれば、太陽光発電パネルなどの被保持物を、単管パイプの端部の先側に、より確実且つ簡便に保持できるという特別有利な効果を奏する。
【図面の簡単な説明】
【００１３】
【図１】本発明に係る支承金具付クランプが、単管パイプに装着された状態の形態例を示すように、正面、平面、右側面を表した斜視図である。
【図２】図１の形態例の背面、平面、左側面を表した斜視図である。
【図３】図１の形態例の背面、底面、左側面を表した斜視図である。
【図４】図１の形態例の正面、平面、右側面の三面図である。
【図５】図１の形態例の背面面、底面、左側面の三面図である。
【図６】図１の形態例の支承金具の受け金具部が、内側に回動して傾斜した状態など、四つの角度位置の態様を示す右側面図である。
【図７】図１の形態例の支承金具の受け金具部が、起立した状態（ａ）から、外側に回動して傾斜した状態など、四つの角度位置の態様を示す右側面図である。
【発明を実施するための形態】
【００１４】
以下、本発明に係る支承金具付クランプの形態例を図面（図１〜７）に基づいて説明する。この支承金具付クランプは、単管パイプ１０の端部に締め付けられて装着され、その単管パイプ１０の端面１１の先側で被保持物を受け止めて保持する支承金具３０を備えるものである。
【００１５】
先ず、この支承金具付クランプは、図１〜７に示すように、単管パイプ１０の長手方向の端部に締め付けによって固定されるように、その単管パイプ１０に締め付けられるクランプ本体部２１と、そのクランプ本体部２１に回動可能に軸着されて単管パイプ１０に締め付けられる回動クランプ部２２と、締付手段２３とを備える。すなわち、この支承金具付クランプによれば、クランプ本体部２１と回動クランプ部２２とで、単管パイプ１０を両側から包むように挟み込み、その両者について締付手段２３によって締め付けることによって、単管パイプ１０に固定される構成要素を備えている。
【００１６】
このクランプ本体部２１と回動クランプ部２２と締付手段２３との構成要素は、従来から極めて一般的に利用されている単管クランプのうちの単クランプと称される形態を構成するものである。なお、締付手段２３としては、例えば各図に示すように、極めて一般的な形態であるが、クランプ本体部２１に対して根元部が回動可能に装着されたボルト２３ａと、そのボルト２３ａに螺合されて回動クランプ部２２に当接して締め付けるナット２３ｂとで構成することができる。なお、この締付手段２３としては、他の既知の固着手段を適宜に用いることができるのは勿論のことである。
【００１７】
そして、本発明に係る支承金具付クランプでは、支承金具３０が、クランプ本体部２１に固定された状態に設けられて軸受部３２を備えるベース金具部３１と、そのベース金具部３１の軸受部３２に軸受された軸部３５を介してそのベース金具部３１に対して傾動可能に軸着され、被保持物を受け止めて保持する第１受面３３ａとその第１受面３３ａに直交する第２受面３３ｂとを備える受け金具部３３とを具備する。なお、クランプ本体部２１と回動クランプ部２２とは、その名称を相互に入れ換えても支障がない部材として相対的な関係にあり、ここでは、支承金具３０が固定されている側をクランプ本体部２１としている。
【００１８】
これによれば、太陽光発電パネルなどの被保持物を、単管パイプの端部の先側に、より確実且つ簡便に保持できる。すなわち、太陽光発電パネルなどのパネル状の被保持物を、単管パイプの中心軸に傾斜して保持する状態に固定する場合にも、上述のように第１受面３３ａと第２受面３３ｂとを備える受け金具部３３によれば、その二面が、対応する被保持物の二面に面接触して適切に受けることができ、安定的に保持できる。また、その受け金具部３３は、タッピングネジを、被保持物に、後述する取付け孔３６に通して締め込むことで、簡単に止め付けることができ、固定作業を簡便に行うことができる。なお、タッピングネジは、電動工具（電動ドライバー）を用いて、簡単に締め付けることができる。
【００１９】
また、本形態例では、ベース金具部３１の先端部３１ａが、単管パイプ１０に装着された際にその単管パイプ１０の長手方向へ延出されるように、クランプ本体部２１から片持ちに突き出て固定された状態に設けられ、そのベース金具部３１の先端部３１ａの両脇で単管パイプ１０の仮想延長部の内側へ折り曲げられてコの字状に形成された両方の立上げ板部３１ｂのそれぞれに、軸受部３２を構成する軸受孔３２ａが設けられ、軸部３５が、長ピン状軸３５ａを軸受孔３２ａの両方に通して軸着することで構成されている。なお、長ピン状軸３５ａは、ヘッド付きの棒状材の端部がカシメによって抜け止めされ、一対の軸受孔３２ａに渡された状態で軸着され、軸部３５を構成している。
【００２０】
これによれば、強度や剛性などの所望の仕様を満足するベース金具部３１及び軸部３５を、簡易で合理的に構成することができる。従って、本発明に係る支承金具付クランプを、低コストで生産でき、その汎用性を高めることができる。
なお、本形態例では、立上げ板部３１ｂの折り曲げの長さが適切に設定されることで、立上げ板部３１ｂの後端がクランプ本体部２１の外側面に当接されて位置決めができ、その立上げ板部３１ｂの剛性を適切に確保できると共に、後述する受け金具部３３が、干渉しないで回動・傾斜できるようになっている。
【００２１】
なお、本形態例のベース金具部３１の先端部は、クランプ本体部２１の平坦な外面に対して、金属板材による別部材で設けられたベース金具部３１を構成する部品の後側部３１ｂを、スポット溶接によって一体的に固定することで構成されているが、本発明はこれに限定されるものではなく、他の溶接方法を用いることや、適宜な折り曲げ形態やカシメ形態などの固着方用や成形方法によって、クランプ本体部２１と一体的に構成することも可能である。
【００２２】
また、本形態例では、受け金具部３３が、長ピン状軸３５ａの中心軸に平行な第１受面３３ａと、その第１受面３３ａと直交すると共に長ピン状軸３５ａの中心軸に平行な第２受面３３ｂと、長ピン状軸３５ａに軸着される軸着部３４であってその長ピン状軸３５ａの中心軸に直交する面に設けられた軸着孔３４ａとを備えている。
【００２３】
これによれば、強度や剛性などの所望の仕様を満足する受け金具部３３を、簡易で合理的に構成することができる。従って、本発明に係る支承金具付クランプを、低コストで生産でき、その汎用性を高めることができる。
【００２４】
また、本形態例では、第２受面３３ｂと軸着部３４を構成する面とが、金属板材を第１受面３３ａの側へ立ち上げるように折り曲げることで設けられている。すなわち、第２受面３３ｂと軸着部３４を構成する面とが、同じ面側へ、直角に曲げられた形態になっている。
【００２５】
これによれば、強度や剛性などの所望の仕様を満足する受け金具部３３を、簡易で合理的に、且つ成形し易い形態に構成することができると共に、図６及び７に示すように、傾斜・回動できる角度範囲を大きくとることができる。特に、図７（ｄ）に示すように、受け金具部３３を外側へ大きく回動した状態に位置させることができる。このため、本形態例では、太陽光発電パネル等の矩形パネルを保持する場合に、受け金具部３３を、図６（ａ）の状態位置から、図７（ｄ）の状態位置までの間の２７０度以上の角度範囲で可変でき、その矩形パネルを様々な仕様に応じて保持することができる。
【００２６】
また、本形態例では、第１受面３３ａは、長ピン状軸３５ａよりも両側に長く形成され、第２受面３３ｂは、第１受面３３ａの両側部に相当する位置であって、傾動した際にも軸受部３２や長ピン状軸３５ａに干渉しないように、二分割した状態に設けられている。そして、タッピングネジや釘などの固定用の部材を挿通できる取付け孔３６が、第１受面３３ａの両側部と、二分割された第２受面３３ｂのそれぞれに設けられている。
【００２７】
これによれば、強度や剛性などの所望の仕様を満足する受け金具部３３を、簡易で合理的に、且つ成形し易い形態に構成することができると共に、図６及び７に示すように、傾斜・回動できる角度範囲を大きくとることができる。特に、図７（ｃ）に示す状態でも、受け金具部３３がベース金具部３１に干渉することなく、受け金具部３３をさらに外側へ大きく回動した状態（図７（ｄ）参照）に位置させることができる。このため、本形態例では、太陽光発電パネル等の矩形パネルを保持する場合に、受け金具部３３を、図６（ａ）の状態位置から、図７（ｄ）の状態位置までの間の２７０度以上の角度範囲で可変でき、その矩形パネルを様々な仕様に応じて保持することができる。
【００２８】
従来の太陽光発電パネル等の矩形フレーム本体（枠部材の張出板部）に設けられた貫通孔に、単管クランプに固定されたボルトを通してナットで締め付けて固定する方法では、その矩形フレーム本体に設けられた貫通孔と単管クランプに固定されたボルトとを位置合わせし、そのボルトをその貫通孔に挿通する工程に手間がかかっている。これに対して、以上の構成にかかる支承金具付クランプによれば、受け金具部３３を、太陽光発電パネル等の矩形パネルの側部の角部の二面（矩形フレーム本体の側面と裏側の面）に当てがうことで、その角部の二面に、受け金具部３３の第１受面３３ａと第２受面３３ｂと面接触させて密着させ、タッピングネジなどで締め付けて固定できるため、その矩形パネルを、単管パイプ１０に、より確実且つ簡便に固定できる。
【００２９】
なお、上述の矩形フレーム本体とは、例えば、太陽光発電パネルの側壁を構成する枠体であり、この太陽光発電パネルの場合、矩形フレーム本体を、本発明に係る支承金具付クランプによって単管パイプに固定することは、太陽光発電パネルを単管パイプに固定できることになる。すなわち、本発明に係る支承金具付クランプによれば、太陽光発電パネルを、単管パイプを組んで構築した架台などに、合理的且つより容易に固定することができる。
【００３０】
本形態例の支承金具付クランプでは、受け金具部３３が、図６（ａ）〜（ｃ）の角度位置にあって、単管パイプ１０が起立状態である場合は、矩形フレーム本体の裏側の面に、受け金具部３３の第１受面３３ａを当接・密着させ、矩形フレーム本体の側面に、受け金具部３３の第２受面３３ｂを当接・密着させて固定すると、安定した状態に保持できる。この場合では、矩形フレーム本体が内側に保持されることになる。
【００３１】
また、受け金具部３３が、図６（ｄ）、図７（ａ）〜（ｂ）の角度位置にあって、単管パイプ１０が起立状態である場合は、矩形フレーム本体の裏側の面に、受け金具部３３の第２受面３３ｂを当接・密着させ、矩形フレーム本体の側面に、受け金具部３３の第１受面３３ａを当接・密着させて固定すると、安定した状態に保持できる。この場合では、矩形フレーム本体が外側に保持されることになる。
【００３２】
さらに、受け金具部３３が、図７（ｃ）〜（ｄ）の角度位置にあって、単管パイプ１０が横に寝た状態である場合は、矩形フレーム本体の裏側の面に、受け金具部３３の第２受面３３ｂを当接・密着させ、矩形フレーム本体の側面に、受け金具部３３の第１受面３３ａを当接・密着させて固定すると、安定した状態に保持できる。この場合では、矩形フレーム本体が外側に保持されることになる。
【００３３】
また、本発明に係る支承金具付クランプの剛性を高めるには、ベース金具部３１と受け金具部３３を構成する部品について、リブをプレス成形などによって形成することや、折り曲げ成形によって補強用の立上げ部を形成することができるのは勿論である。このように剛性を高めることで、例えば、板厚を薄くすることが可能になり、製造コストを低減できるという効果を得ることが可能になる。
【００３４】
以上、本発明につき好適な形態例を挙げて種々説明してきたが、本発明はこの形態例に限定されるものではなく、発明の精神を逸脱しない範囲内で多くの改変を施し得るのは勿論ことである。
【符号の説明】
【００３５】
１０  単管パイプ
１１  端面
２１  クランプ本体部
２２  回動クランプ部
２３  締付手段
２３ａ  ボルト
２３ｂ  ナット
３０  支承金具
３１  ベース金具部
３１ａ  先端部
３１ｂ  立上げ板部
３１ｃ  後側部
３２  軸受部
３２ａ  軸受孔
３３  受け金具部
３３ａ  第１受面
３３ｂ  第２受面
３４  軸着部
３４ａ  軸着孔
３５  軸部
３５ａ  長ピン状軸
３６  取付け孔
【図１】
2017211052.tif 000003
【図２】
2017211052.tif 000004
【図３】
2017211052.tif 000005
【図４】
2017211052.tif 000006
【図５】
2017211052.tif 000007
【図６】
2017211052.tif 000008
【図７】
2017211052.tif 000009